(57)【要約】      （修正有）【課題】人体に貼ってケガの予防を図ったり動きを制限したりする色つきのテーピングテープをより効果的に使用できるテーピングテープ収納体を提供する。【解決手段】テーピングテープ収納体１１は、巻き芯１２ａに巻回された状態の複数個のテーピングテープ１２を並べて収納する収納空間３１と、この収納空間３１に収納するテーピングテープ１２の外周面の少なくとも一部を外部から見えるように保持する保持構造３２を有した本体ケース３４と、収納空間３１に収納されたテーピングテープ１２の外周面を視認させる視認許容部３３としての透明の蓋体３７を備え、色の異なる複数のテーピングテープ１２を納空間３１に並べて収納する。【選択図】図１
0003188149.tif 000002
【実用新案登録請求の範囲】
【請求項１】
巻き芯に巻回された状態の複数個のテーピングテープを並べて収納する収納空間と、
該収納空間に収納する前記テーピングテープの外周面の少なくとも一部を外部から見えるように保持する保持構造と、
前記収納空間に収納された前記テーピングテープの外周面を視認させる視認許容部を有し、
色の異なる複数の前記テーピングテープを前記収納空間に並べて収納した
テーピングテープ収納体。
【請求項２】
前記保持構造が、前記テーピングテープを外周面の一部を接触させて保持可能にする支持板部を有した
請求項１に記載のテーピングテープ収納体。
【請求項３】
前記保持構造が、前記テーピングテープの巻き芯を挿嵌する軸部を有した
請求項１または請求項２に記載のテーピングテープ収納体。
【請求項４】
前記視認許容部が、透明のカバーで構成された
請求項１から請求項３のうちいずれか一項に記載のテーピングテープ収納体。
【請求項５】
前記収納空間が、前記テーピングテープをたてよこ両方向に並べて収納させる形状である
請求項１から請求項４のうちいずれか一項に記載のテーピングテープ収納体。
【請求項６】
前記収納空間に、幅が異なるテーピングテープを収納した
請求項１から請求項５のうちいずれか一項に記載のテーピングテープ収納体。
【請求項７】
巻き芯に巻回された色の異なる複数のテーピングテープを並べて収納する収納空間と、
該収納空間に収納する前記テーピングテープの外周面の少なくとも一部を外部から見えるように保持する保持構造と、
前記収納空間に収納された前記テーピングテープの外周面を視認させる視認許容部を有する
テーピングテープの収納体。
【考案の詳細な説明】
【技術分野】
【０００１】
この考案は、テーピングテープを収納したテーピングテープ収納体に関し、より詳しくは、色とりどりのテーピングテープをより効果的に使用できるようにするためのテーピングテープ収納体およびこれに用いるテーピングテープの収納体に関する。
【背景技術】
【０００２】
テーピングテープは、運動等におけるケガの予防や再発防止、痛みの発生防止などのために用いられている。テーピングテープを巻くことによって、身体の不安な部位を補強し、動きを制限するので、精神的な効果も大きく、競技に集中できるという利点がある。近年では、ウェア等に合わせられるように色のついたテーピングテープも出現している。
【０００３】
しかしテーピングテープを収納する収納体としては、鋏やその他の必要部品と共に収納するバッグはあるものの、様々な色のテーピングテープを見栄えよく収納するものは存在しない。テーピングテープは、下記特許文献１に開示されたような面板を用いて不測の変形等から保護されるように工夫されることはあっても、これまで収納について考慮されることはなかった。競技者やトレーナー等は他の道具と一緒にバッグに入れて持ち歩き、整体院等では棚などに収納している。
【０００４】
テーピングテープの使用にあたっては、色つきのテーピングテープではあっても、通常の白や肌色のテーピングテープの場合と同様に、ウェアとの調和が図れるようにあらかじめ定めたものをバックや収納場所から取り出すだけであった。つまり、テーピングテープが通常の色以外の色を有していることは、テーピングテープの作用に顕著な影響を与えるものではなかった。
【先行技術文献】
【特許文献】
【０００５】
【特許文献１】実公平３−３６５１３号公報
【考案の概要】
【考案が解決しようとする課題】
【０００６】
この考案は、色のついたテーピングテープをより効果的に使用できるようにすることを主な目的とする。
【課題を解決するための手段】
【０００７】
そのための手段は、巻き芯に巻回された状態の複数個のテーピングテープを並べて収納する収納空間と、該収納空間に収納する前記テーピングテープの外周面の少なくとも一部を外部から見えるように保持する保持構造と、前記収納空間に収納された前記テーピングテープの外周面を視認させる視認許容部を有し、色の異なる複数の前記テーピングテープを前記収納空間に並べて収納したテーピングテープ収納体である。
【０００８】
この構成によれば、色の異なる複数のテーピングテープが収納空間に並んで保持構造によって保持されており、この状態が視認許容部を通して視認できる。テーピングテープを使用する者や購入する者は、そのテーピングテープの色を見て、そのときの気分や好みの色、ラッキーカラー、風水等の占いで良いとされた色などに基づいて選択して、より良い気分、精神的に安定した気分、あるいは闘志を燃やせる状態で、テーピングテープを使用できるようにする。
【０００９】
前記保持構造は、前記テーピングテープを外周面の一部を接触させて保持可能にする支持板部を有した構成にするとよい。前記保持構造は、前記テーピングテープの巻き芯を挿嵌する軸部を有した構成にすることもできる。この軸部と前記支持板部を有する構成にすることもできる。これらのように構成すると、テーピングテープを安定的に支持でき、不測の脱落を抑制できるので、変形したりする不都合を回避できる。
【００１０】
前記視認許容部は、透明のカバーで構成されたものであっても、空間で構成してテーピングテープの外周面を露出させるものであってもよい。視認許容部を透明のカバーで構成した場合にはカバーがテーピングテープを汚れ等から保護する。露出させる構成の場合には、光の反射の影響を受けにくく色の認識が良好に行える。
【００１１】
前記収納空間は、前記テーピングテープをたてよこ両方向に並べて収納させる形状であってもよい。この場合には、色の対比がしやすく、美麗な印象も得られる。
【００１２】
前記収納空間には、幅が異なるテーピングテープを収納してもよい。色のほか、適した幅のテーピングテープを選べる。
【００１３】
別の手段は、巻き芯に巻回された色の異なる複数のテーピングテープを並べて収納する収納空間と、該収納空間に収納する前記テーピングテープの外周面の少なくとも一部を外部から見えるように保持する保持構造と、前記収納空間に収納された前記テーピングテープの外周面を視認させる視認許容部を有するテーピングテープの収納体である。
【考案の効果】
【００１４】
以上のように、この考案によれば、色の異なる複数のテーピングテープは色が識別できる状態で並べて収納されており、使用に際してはそのときの状態に応じてより好ましい色のテーピングテープを選択して使用できる。このため、気分や好み、ラッキーカラーなどに応じて、運動や競技に最適な精神状態を作出することができるので、テーピングテープの本来の作用効果を心理面から引き立たせ、テーピングテープに従来以上の効果を発揮させることが可能となる。
【００１５】
また、テーピンングテープを美麗に収納できるので、テーピングテープを気軽に楽しく有効に使用する途を拓くことに、大いに貢献する。たとえば、テーピングテープを手軽に使用できるようになれば、ケガの予防などが図れる上に、身体をケアする意識を芽生えさせることもできる。色つきのテーピングテープはファッション面でも効果を発揮するので、運動を苦手とする人でも楽しく使用でき、健康に対する意識改革や運動へいざなうこともできる。
【図面の簡単な説明】
【００１６】
【図１】テーピングテープ収納体の斜視図。
【図２】テーピングテープ収納体の斜視図。
【図３】テーピングテープの収納体の斜視図。
【図４】テーピングテープ収納体の断面図。
【図５】テーピングテープの収納体における仕切り部分の構造を示す断面図。
【図６】テーピングテープの収納体における仕切り部分の他の構造例を示す断面図。
【図７】他の例に係るテーピングテープの収納体の斜視図。
【図８】他の例に係るテーピングテープ収納体の断面図。
【図９】他の例に係るテーピングテープ収納体の斜視図。
【図１０】他の例に係るテーピングテープ収納体の斜視図。
【図１１】図１０のテーピングテープの収納体の断面図。
【図１２】他の例に係るテーピングテープ収納体の斜視図。
【考案を実施するための形態】
【００１７】
この考案を実施するための一形態を、以下図面を用いて説明する。  
図１、図２は、テーピングテープ収納体１１（以下、「テープ収納体」という）の斜視図であり、図３はテーピングテープ１２を収納するテーピングテープの収納体１３（以下、「収納体」という）の斜視図である。
【００１８】
これらの図に示すようにテープ収納体１１は、収納体１３の内部に色が異なる複数のテーピングテープ１２を並べて収納して構成されている。
【００１９】
テーピングテープ１２は、人体に貼り付けて使用するもので、筒状の巻き芯１２ａに対して偏平な渦巻き状に巻回されている。このテーピングテープ１２は色を有しており、通常の白や肌色のほか、赤色や黄色、青色などの様々な色、さらには色柄のついたものなどを使用できる。
【００２０】
収納体１３は、全体として細長い箱状で、複数個のテーピングテープ１２を並べて収納する収納空間３１と、この収納空間３１に収納するテーピングテープ１２の外周面の少なくとも一部を外部から見えるように保持する保持構造３２と、収納空間３１に収納されたテーピングテープ１２の外周面を視認させる視認許容部３３を有している。
【００２１】
収納空間３１は、上面が開放された前記保持構造３２としての本体ケース３４の上面側に形成されている。この本体ケース３４は、平面視長方形枠状をなし適宜の台などの上に載置される外壁部３４ａと、この外壁部３４ａの上端から内周側に枠状に形成された上端面部３４ｂと、この上端面部３４ｂの内端から下へ湾曲する内底面部３４ｃを有する。内底面部３４ｃは、本体ケース３４の長手方向と直交する方向に略半円弧状に湾曲しており、図４に示したように、テーピングテープ１２を一列に並べた状態でテーピングテープ１２の外周面のうち下側の一部を接触させて保持し、テーピングテープ１２の外周面の略上側半分が正面視や平面視で見えるようにする。この内底面部３４ｃの少なくとも底のほうの部分が、テーピングテープ１２を、テーピングテープ１２の外周面を接触させて保持する支持板部３４ｄである。
【００２２】
内底面部３４ｃには、図３に示したように、本体ケース３４の長手方向を横切る方向に延びる複数の差し込み溝３５が、本体ケース３４の長手方向に所定間隔をあけて形成されている。この差し込み溝３５は、仕切り部材３６を着脱可能に固定するためのもので、図４に示したように、板状の仕切り部材３６を適宜差し込んで保持できるようにしている。仕切り部材３６は、差し込み溝３５を貫通する略半円形の板状部３６ａと、この板状部３６ａの上端において両側に張り出して本体ケース３４の上端面部３４ｂに上から当たる保持突部３６ｂを有する形状である。このような仕切り部材３６は、図５に示したように、収納するテーピングテープ１２の幅や個数などに応じて適宜の差し込み溝３５に差し込んで使用される。
【００２３】
仕切り部材３６は、図６に示したように、差し込み溝なしで取り付けられるようにしてもよい。つまり、内底面部３４ｃは、図６（ａ）に示したように、差し込み溝がない湾曲板状で、仕切り部材３６は内底面部３４ｃの適宜位置に載置して使用される。仕切り部材３６は、図６（ｂ）に示したように、内底面部３４ｃに嵌合対応する形状に湾曲した適宜幅の重合面部３６ｃと、この重合面部３６ｃの幅方向の中間に立設された仕切り板３６ｄで構成されている。
【００２４】
前記本体ケース３４の上には、図４に示したように、カバーとしての開閉可能な蓋体３７が、本体ケース３４の長手方向にのびる一方の縁を回転軸とする枢着部３８を介して備えられる。この蓋体３７は、前記収納空間３１を閉じるもので、断面半円弧状に形成され、全体が透明である。つまり、この蓋体３７自体が、前記視認許容部３３を構成する。蓋体３２には、閉じた状態を保持する係止構造を備えてもよい。
【００２５】
このような構成の収納体１３の収納空間３１に、色の異なる複数のテーピングテープ１２が並べて収納される。収納に際しては、幅や素材の異なるテープヒングテープ１２も収納するとよい。つまり、図１に示したように色ごとに仕切り部材３６で分けて収納することも、図２に示したように幅や材質ごとに仕切り部材３６で分けて収納することもできる。テーピングテープ１２は区分けしないで収納してもよい。
【００２６】
このようにして得たテープ収納体１１では、図１、図２に示したように、色や幅、材質の異なる複数のテーピングテープ１２、特に色の異なるテーピングテープ１２が収納空間３１に並んで保持されている。しかもすべてのテーピングテープ１２は、支持板部３４ｄを有する内底面部３４ｃによって収納空間３１内に保持されているので、テーピングテープ１２を安定的に支持可能で、不測の脱落を抑制し、変形などの不都合を回避できる。また、収納空間３１の上方には蓋体３７を備えているので、テーピングテープ１２を汚れや物体との衝突などから保護できる。
【００２７】
そして、複数色のテーピングテープ１２の収納状態が、視認許容部３３としての蓋体３７を通して視認可能である。
【００２８】
テーピングテープ１２を使用する者や購入する者は、収納空間３１に並んでいる色の異なる複数のテーピングテープ１２を見て、そのときの気分や好みの色、ラッキーカラー、風水等の占いで良いとされた色などに基づいて選択して、より良い気分、精神的に安定した状態、または闘志を燃やせる状態で、テーピングテープ１２を使用できるようにする。
【００２９】
このため使用にあたっては、色にも基づく精神的、心理的な面での作用を発揮させ、ゴルフやランニング、テニス、登山など、運動や競技に限らず体を動かすすべての場面において最適な精神状態を作出することができる。この結果、テーピングテープ１２の本来の作用効果を心理面から引き立たせて相乗効果を生み、テーピングテープ１２に従来以上の効果を発揮させて良好な運動等を行わせることができる。
【００３０】
複数の色のテーピングテープ１２を見たり選んだり使用したりする行為は、運動などのための契機となったり、励みとなったりするので、たとえば日常の散歩程度のウォーキングのように気が進まなくなれば行わなくてもよいような運動を、促したり習慣づけたりすることが可能となる。
【００３１】
また、テーピンングテープ１２を美麗に収納できるので、店舗等でテーピングテープ１２を陳列したり展示したりするだけでも、テーピングテープ１２の存在や有効性をアピールすることができ、テーピングテープ１２を気軽に楽しく使用するように促すことができる。そして、テーピングテープ１２を手軽に使用できるようになれば、ケガの予防などが図れる上に、身体をケアする意識を芽生えさせることもできるなどの多大な効果が得られる。しかも、色つきのテーピングテープ１２は、心理的な効果のほかファッション性も有するので、運動を苦手とする人でも楽しく使用できるようになり、このような人たちに健康に対する意識改革や運動へのきっかけを与えることもできる。
【００３２】
このようにテープ収納体１１と収納体１３は、色のついたテーピングテープを効果的に使用させて、さまざまな効果をもたらすことができる。
【００３３】
以下、その他の形態について説明する。この説明において、先の構成と同一または同等の部位については同一の符号を付してその詳しい説明を省略する。
【００３４】
図７は、他の例に係る収納体１３の斜視図であり、この図に示したように、収納体１３は吊り下げ可能としてもよい。具体的には、本体ケース３４の長手方向の一端に、フック（図示せず）等を掛止可能とする吊り下げ片３９を有している。図中、３９ａは貫通穴で、４０は本体ケース３４に対する蓋体３７の閉じた状態を保持する周知の係止構造部である。
【００３５】
このような構成の収納体１３と、これを用いたテープ収納体１１では、台や棚に置けるほか、吊り下げて陳列したり展示したり、移動したりすることができるので便利である。
【００３６】
図８は、他の例に係るテープ収納体１１の断面図であり、この図に示したように、本体ケース３４の収納空間３１は、テーピングテープ１２をたてよこ両方向に並べて収納できるようにしたもので、半円弧状の内底面部３４ｃが３列平行に形成されている。
【００３７】
なお、図８に仮想線で示したように、蓋体３７は設けても設けなくてもよい。
【００３８】
このよう構成したテープ収納体１１または収納体１３では、テーピングテープ１２を一列に並べた場合に比して、テーピングテープ１２同士の色の対比がしやすく、華やかな美しさも表現できる利点がある。
【００３９】
図９は、他の例に係るテープ収納体１１の斜視図であり、このテープ収納体１１の収納体１３は、箱状ではなく、略円柱状に形成されている。すなわち、ヒンジ４１を介して一体に形成された断面略半円弧状の本体側部４２と蓋側部４３を有し、本体側部４２の底には適宜幅の平坦な平坦面４２ａを有している。本体側部４２は前記保持構造３２であり、平坦面４２ａは、収納するテーピングテープ１２の外周面の一部を接触させて保持する支持板部３４ｄでもある。図示は省略するが、内部には必要に応じて仕切りが一体に形成されている。前述のように別体の仕切り部材３６（図６参照）を備えてもよい。
【００４０】
このような構成のテープ収納体１１またはこれに用いる収納体１３では、箱状の場合に比べて、全体がテーピングテープ１２の形状に近いので、嵩張らないように携帯できる。陳列する場合でも、全体が透明であり、人の目を引く美麗な外観を付与できる。
【００４１】
図１０は、他の例に係るテープ収納体１１の斜視図であり、このテープ収納体１１は、テーピングテープ１２を収納する収納空間３１を複数に分けて備えて、色や幅、材質が異なるより多くの種類のテーピングテープ１２をまとめて収納できるようにしたものである。
【００４２】
このテープ収納体１１に用いられる収納体１３は、図１１に示したように、基台４５と、この基台４５上に回転可能に支持される中空で六角柱状の回転体４６と、この回転体４６の各側面４６ａに着脱自在に取り付けられる６個の収納担体４７で構成されている。
【００４３】
基台４５は、台などの上に載置される板状で、中央に、上に向けて延びる支持軸４５ａを有している。支持軸４５ａの先端には、回転体４６の回転を容易にするための球状部４５ｂが形成されている。
【００４４】
回転体４６は、支持軸４５ａを挿入可能にする下が開放した円筒状部４６ｂを内部に有する二重壁構造である。６個の縦長長方形の側面４６ａの上部には、側面視Ｌ字形のフック４６ｃが形成されている。
【００４５】
収納担体４７は、全体が透明で、テーピングテープ１２を１列に並べて収納できる収納空間３１を有した構造である。たとえば前述の収納体１３（図９参照）のように適宜形成される。この収納担体４７の裏面（背面）の上部には、回転体４６のフック４６ｃに係止されて収納担体４７の裏面を回転体４６の側面４６ａに沿った状態で取り付けられるようにする係止部４７ａが形成されている。
【００４６】
収納担体４７の構造は、前述の収納体１３の構成以外の構成を採用してもよい。たとえば、ヒンジなどによって開閉可能な蓋を有するのではなく、周知の嵌合や係合によって着脱可能な蓋を有する構成でもよく、蓋のない構成であってもよい。
【００４７】
なお、図中４７ｂは一体の仕切りである。また、支持板部３４ｄに代えて、または加えて軸部を備えることもできる。
【００４８】
このような構成のテープ収納体１１またはこれに用いる収納体１３では、より多くの種類のテーピングテープ１２を収納できるので、店舗や診療所等で陳列・展示するのに好適である。しかも、横から見ても斜めから見ても、一度に多くのテーピングテープ１２を視認できるので、色の選択に楽しみを持たせることもできる。
【００４９】
また、収納担体４７を保持する回転体４６は回転可能であるので、より一層選択の楽しみを増大させながら、収納空間３１からの取り出し動作を容易にすることもできる。
【００５０】
回転体４６の形状は、六角形のほか、必要であれば八角形など、適宜の形状でよく、色や幅、材質等の違いに応じて必要な種類、必要な個数のテーピングテープ１２を収納できるように設定できる。
【００５１】
図１２は、他の例に係るテープ収納体１１の斜視図であり、このテープ収納体１３は、テーピングテープ１２を収納する収納空間３１が閉じられたものではなく、色や幅、材質が異なるより多くの種類のテーピングテープをまとめて収納できるようにしたものである。
【００５２】
このテープ収納体１１に用いられる収納体１３は、基台４５と、この基台４５上で回転する回転板４８と、回転板４８上に着脱可能に立設される６本の保持軸４９で構成されている。
【００５３】
回転板４８は、周知の回転テーブル構造で、基台４５の上に設けられている。
【００５４】
回転板４８の上面には、等間隔に６個の凹部４８ａを有しており、これらの凹部４８ａの中央にねじ穴４８ｂが形成されている。これらの凹部４８ａは、収納するテーピングテープ１２の直径よりも大きい円形であり、この凹部４８ａの上方が収納空間３１である。
【００５５】
保持軸４９は、テーピングテープ１２の巻き芯１２ａを挿嵌する軸部４９ａを、前述の保持構造３２として有している。軸部４９ａは、先端（下端）に前記ねじ穴４８ｂに対して螺合固定するための雄ねじ４９ｂを有し、上端には、回転力を入力するために軸部４９ａの直径よりも大きい略板状に形成された回転入力部４９ｃを有している。回転入力部４９ｃの中央の貫通穴４９ｄは、吊り下げ等を可能にするものである。
【００５６】
回転入力部４９ｃの下には、円板状の透明のカバー４９ｅが備えられている。このカバー４９ｅは、テーピングテープ１２の外周面を斜め上方から視認させる視認許容部３３であるとともに、収納空間３１に収納されたテーピングテープ１２のうち一番上のテーピングテープ１２の粘着剤が露出する側面などを保護するものである。
【００５７】
このテープ収納体１１では、テーピングテープ１２の収納は、収納しようとするテーピングテープ１２の側面同士を適宜重ねて凹部４８ａに載置し、保持軸４９を上から差し込んでねじ穴４８ｂに保持する。テーピングテープ１２を使用するときには、保持軸４９を外して、必要なテーピングテープ１２を取り出す。
【００５８】
このような構成のテープ収納体１１またはこれに用いる収納体１３では、図１０に示したテープ収納体１１と同様に、より多くの種類のテーピングテープ１２を収納できるので、店舗や診療所等で陳列・展示するのに好適であり、横から見ても斜めから見ても、一度に多くのテーピングテープ１２を視認できるので、色の選択に楽しみを持たせることもできるという利点を有する。また、テーピングテープ１２をのせている回転板４８は回転可能であるので、より一層選択の楽しみを増大させることもできるという効果も有する。
【００５９】
このほか、収納空間３１の全体を覆う透明なカバーを有する場合とは違って、光の反射の影響を受けにくく色の認識が良好に行えるという利点も有する。
【００６０】
この考案の構成と、前述の一形態の構成との対応において、  
この考案の保持構造は、本体ケース３４、本体側部４２、回転板４８と保持軸４９に対応し、  
以下同様に、  
視認許容部は、蓋体３７、本体側部４２、蓋側部４３、収納担体４７、図１２の収納空間に３１とその外側との境界部分に対応し、  
カバーは、蓋体３７、本体側部４２、蓋側部４３に対応するも、  
この考案は前述の構成のみに限定されるものではなく、その他の構成を採用することもできる。
【符号の説明】
【００６１】
１１…テーピングテープ収納体
１２…テーピングテープ
１２ａ…巻き芯
１３…テーピングテープの収納体
３１…収納空間
３２…保持構造
３３…視認許容部
３４ｄ…支持板部
４２…本体側部
４２ａ…平坦面
４３…蓋側部
４９ａ…軸部
【図１】
0003188149.tif 000003
【図２】
0003188149.tif 000004
【図３】
0003188149.tif 000005
【図４】
0003188149.tif 000006
【図５】
0003188149.tif 000007
【図６】
0003188149.tif 000008
【図７】
0003188149.tif 000009
【図８】
0003188149.tif 000010
【図９】
0003188149.tif 000011
【図１０】
0003188149.tif 000012
【図１１】
0003188149.tif 000013
【図１２】
0003188149.tif 000014